(57)【要約】      （修正有）【課題】ハウジングまたはヘッドバンドのいずれかに対して摺動可能に保持されるスライダを備え、ユーザーが相対的な位置を調整して安定して装着できるとともに、スライダにおける不要な振動を抑制して、再生音質に優れるヘッドホンを提供する。【解決手段】ヘッドホンは、ヘッドバンド１Ｃまたはハウジングの少なくともいずれか一方が、スライダ１Ｅの被保持部１０を摺動可能に保持するスライダ保持部２０を有する。スライダ保持部２０は、スライダ１Ｅの被保持部１０の第１当接部に当接して第１付勢力を与える第１弾性部材である板バネ部材２２、２４と、第２当接部に当接して第１付勢力とは略直交する方向に第２付勢力を与える第２弾性部材である円柱弾性部材２３と、第１弾性部材並びに第２弾性部材を固定する固定部材２１、２５と、を有する。【選択図】図３
2018088661.tif 000002
【特許請求の範囲】
【請求項１】
スピーカーユニットを収容するハウジングと、ヘッドバンドと、一端側が該ハウジングまたは該ヘッドバンドのいずれか一方に連結し、他端側が該ハウジングまたは該ヘッドバンドのいずれか他方に対して摺動可能に保持されるスライダと、を備え、
該ヘッドバンドまたは該ハウジングの少なくともいずれか一方が、該スライダの被保持部を摺動可能に保持するスライダ保持部を有し、
該スライダ保持部が、該スライダの該被保持部の第１当接部に当接して第１付勢力を与える第１弾性部材と、第２当接部に当接して該第１付勢力とは略直交する方向に第２付勢力を与える第２弾性部材と、該第１弾性部材並びに該第２弾性部材を固定する固定部材と、を有する、
ヘッドホン。
【請求項２】
前記スライダが、短冊状の基体に長孔状のスリットが形成されて、前記スライダ保持部に保持される前記被保持部を有し、
前記第２弾性部材が、該スリットを通過するとともに前記第２当接部に当接して前記第２付勢力を与える略柱状の部材である、
請求項１に記載のヘッドホン。
【請求項３】
前記スライダの前記被保持部の前記第１当接部が、前記基体の凹凸を有さない平面部であり、前記第２当接部が、前記スリットを規定する凹凸を有さない端面部である、
請求項２に記載のヘッドホン。
【請求項４】
前記スライダ保持部の前記第１弾性部材が、金属材料または樹脂材料により形成される板バネ状の部材であり、前記第２弾性部材が、シリコン樹脂材料またはゴム材料により形成される部材である、
請求項１から３のいずれかに記載のヘッドホン。
【請求項５】
前記第１弾性部材および前記第２弾性部材が、それぞれ前記固定部材の凸状部が通過する貫通孔を有して、該固定部材に固定されている、
請求項１から４のいずれかに記載のヘッドホン。
【発明の詳細な説明】
【技術分野】
【０００１】
本発明は、ユーザーの耳に装着されて音声再生するヘッドホンに関し、特に、ハウジングまたはヘッドバンドのいずれかに対して摺動可能に保持されるスライダを備えるヘッドホンに関する。
【背景技術】
【０００２】
ヘッドバンドを有するユーザーの頭部に載置するオーバーヘッドタイプのヘッドホンは、ヘッドバンドと、スピーカーユニットと、スピーカーユニットの背面側を囲むハウジングと、スピーカーユニットの前面側に設けられる耳接触部を備えている。ここでいうヘッドホンは、左右一対のハウジングがヘッドバンドなどで連結されているステレオ型のものだけでなく、ユーザーの片耳にのみハウジングを装着させるモノラル型のものや、ハウジングがマイク装置を備える所謂ヘッドセットを含んでいる。
【０００３】
このようなヘッドバンドを有するヘッドホンは、ハウジングとヘッドバンドとの間の相対的な位置関係を装着するユーザーの頭部および耳部に合わせて調整することができるように、調整機構を設ける場合がある。代表的には、ヘッドバンド側もしくはハウジング側に摺動する動作が可能なスライダ構造、または、旋回動作が可能なポールジョイント構造、などを採用することにより、ユーザーが安定してヘッドホンを装着して使用できるようにしているものがある。
【０００４】
ヘッドホンのスライダ構造では、ハウジングとヘッドバンドとの間の相対的な位置関係を予め定めている複数の位置から段階的に選択できるように、例えば、相互に嵌合する凹凸を設けて、クリック動作により移動および固定が可能なスライダ構造を採用するものがある（特許文献１、第３図〜第５図）。一方で、所定の範囲において無段階的に位置を定めるスライダ構造を採用するものがある（特許文献１、第１図）。
【０００５】
スライダ構造において、複数の位置から段階的に選択する方式は、無段階的に位置を定める方式に比較して、ユーザーの好みに応じた位置に最終的に調整できない場合が生じ得るという問題がある。一方で、無段階的に位置を定める方式は、相互に嵌合する凹凸がないので、相対的な位置関係が変わりやすく、ずれやすくなるという問題がある。
【０００６】
上記のようなヘッドホンのスライダ構造では、相対的な位置関係が変わらないように、嵌合部分に適度な嵌合力または摩擦力が生じるように板バネ等の弾性材料を配するものがある。特に、相互に嵌合する凹凸を設けずに無段階的に位置を定める方式の場合には、接触する部材を強く押し当てるようにして、強い摩擦力を与える必要がある。したがって、このようなスライダ構造を採用するヘッドホンは、ユーザーが安定して装着することができる一方で、スライダ構造が複雑になり易いという問題がある。
【０００７】
また、オーバーヘッドタイプのヘッドホンは、ハウジングに収容されたスピーカーユニットが振動する場合に、この振動がヘッドバンドに伝わって不要な振動が発生し、ヘッドホンの再生音質に悪影響を与えるという問題がある。特に、スライダ構造が、金属材料で形成された板バネ等の部材を含むような場合には、スピーカーユニットからの振動に起因して共振の鋭さＱが高い機械系の共振が発生することがある。このような共振は、不要な放射音を発生させて、ヘッドホンの再生音質を悪化させる場合があるという問題がある。
【先行技術文献】
【特許文献】
【０００８】
【特許文献１】実公昭５７−１５１５号公報
【発明の概要】
【発明が解決しようとする課題】
【０００９】
本発明は、上記の従来技術が有する問題を解決するためになされたものであり、その目的は、ハウジングまたはヘッドバンドのいずれかに対して摺動可能に保持されるスライダを備えるヘッドホンに関し、ユーザーが相対的な位置を調整して安定して装着できるとともに、スライダにおける不要な振動を抑制して、再生音質に優れるヘッドホンを提供することにある。
【課題を解決するための手段】
【００１０】
本発明のヘッドホンは、スピーカーユニットを収容するハウジングと、ヘッドバンドと、一端側がハウジングまたはヘッドバンドのいずれか一方に連結し、他端側がハウジングまたはヘッドバンドのいずれか他方に対して摺動可能に保持されるスライダと、を備え、ヘッドバンドまたはハウジングの少なくともいずれか一方が、スライダの被保持部を摺動可能に保持するスライダ保持部を有し、スライダ保持部が、スライダの被保持部の第１当接部に当接して第１付勢力を与える第１弾性部材と、第２当接部に当接して第１付勢力とは略直交する方向に第２付勢力を与える第２弾性部材と、第１弾性部材並びに第２弾性部材を固定する固定部材と、を有する。
【００１１】
好ましくは、本発明のヘッドホンは、スライダが、短冊状の基体に長孔状のスリットが形成されて、スライダ保持部に保持される被保持部を有し、第２弾性部材が、スリットを通過するとともに第２当接部に当接して第２付勢力を与える略柱状の部材である。
【００１２】
また、好ましくは、本発明のヘッドホンは、スライダの被保持部の第１当接部が、基体の凹凸を有さない平面部であり、第２当接部が、スリットを規定する凹凸を有さない端面部である。
【００１３】
また、好ましくは、本発明のヘッドホンは、スライダ保持部の第１弾性部材が、金属材料または樹脂材料により形成される板バネ状の部材であり、第２弾性部材が、シリコン樹脂材料またはゴム材料により形成される部材である。
【００１４】
また、好ましくは、本発明のヘッドホンは、第１弾性部材および第２弾性部材が、それぞれ固定部材の凸状部が通過する貫通孔を有して、固定部材に固定されている。
【００１５】
以下、本発明の作用について説明する。
【００１６】
本発明のヘッドホンは、スピーカーユニットを収容するハウジングと、ヘッドバンドと、一端側がハウジングまたはヘッドバンドのいずれか一方に連結し、他端側がハウジングまたはヘッドバンドのいずれか他方に対して摺動可能に保持されるスライダと、を備える。ここで、ヘッドバンドまたはハウジングのいずれか一方が、スライダを摺動可能に保持するスライダ保持部を有する。つまり、スライダは、ハウジングまたはヘッドバンドのいずれかに対して摺動可能に保持されていればよく、スライダ保持部に保持される被保持部を有している。したがって、このヘッドホンは、ハウジングとヘッドバンドとの間の相対的な位置関係を、装着するユーザーの頭部および耳部に合わせて調整することができる。
【００１７】
ここで、スライダ保持部は、スライダの被保持部の第１当接部に当接して第１付勢力を与える第１弾性部材と、第２当接部に当接して第１付勢力とは略直交する方向に第２付勢力を与える第２弾性部材と、第１弾性部材並びに第２弾性部材を固定する固定部材と、を有する。したがって、第１当接部に当接する第１弾性部材と第２当接部に当接する第２弾性部材とを適切に設計して、略直交する方向からスライダの被保持部に付勢力を与えて、容易に相対位置がずれないように安定して装着できるようにするとともに、一方の弾性部材を含む機械共振系で共振が発生するような場合にも、他方の弾性部材が共振を抑制するようにすることができる。したがって、スライダにおける不要な振動を抑制して、再生音質に悪影響を与えにくいヘッドホンを構成することができる。
【００１８】
スライダは、短冊状の基体に長孔状のスリットが形成されて、スライダ保持部に保持される被保持部を有する。これに応じて、第２弾性部材は、このスリットを通過するとともに第２当接部に当接して第２付勢力を与える略柱状の部材とすることができる。好ましくは、スライダの被保持部の第１当接部が、基体の凹凸を有さない平面部であり、第２当接部が、スリットを規定する凹凸を有さない端面部である。したがって、スライダの被保持部およびこれに対応するスライダ保持部を比較的に小さくすることができ、無段階的に位置を定めるようにすることができる。また、第１弾性部材とスリットを通過する第２弾性部材とが、スライダの被保持部の基体を直交する方向から保持することになるので、スライダにおける不要な振動を抑制して、再生音質が優れるヘッドホンを構成することができる。
【００１９】
スライダ保持部の第１弾性部材は、金属材料または樹脂材料により形成される板バネ状の部材とする場合には、第２弾性部材は、シリコン樹脂材料またはゴム材料により形成される略柱状の部材で構成するのが好ましい。異なる形状の異なる弾性材料を用いることで、共振の鋭さＱが高い機械系の共振を抑制する損失を与えるダンプ材としてそれぞれが機能するからである。第１弾性部材は、固定部材の凸状部が通過する貫通孔を有しているので、固定部材によって容易に固定することができる。さらに、第２弾性部材は、略柱状の部材で形成されて被保持部のスリットを通過するのに適する形状にできるとともに、固定部材の凸状部が通過する貫通孔を有しているので、固定部材によって容易に固定することができる。
【発明の効果】
【００２０】
本発明のヘッドホンは、ユーザーがハウジングとヘッドバンドとの相対的な位置を調整して安定して装着できるとともに、スライダにおける不要な振動を抑制して、再生音質に優れるヘッドホンを提供することができる。
【図面の簡単な説明】
【００２１】
【図１】本発明の一実施形態に係るヘッドホンの外観図である。
【図２】本発明の一実施形態に係るヘッドホンのスライダ構造の具体的な構造を示した説明図である。
【図３】本発明の一実施形態に係るヘッドホンのスライダ構造の具体的な構造を示した説明図である。
【図４】本発明の一実施形態に係るヘッドホンのスライダ構造の具体的な構造を示した説明図である。
【図５】本発明の一実施形態に係るヘッドホンのスライダ構造の具体的な構造を示した説明図である。
【発明を実施するための形態】
【００２２】
以下、本発明の好ましい実施形態によるヘッドホンについて説明するが、本発明はこれらの実施形態には限定されない。
【実施例１】
【００２３】
図１は、本発明の好ましい実施形態によるヘッドホン１について説明する図である。具体的には、図１は、ヘッドホン１の外観を示す斜視図である。本実施例のヘッドホン１は、左右のヘッドホンユニット１Ａ、１Ｂと、これらヘッドホンユニット１Ａ、１Ｂを連結するヘッドバンド１Ｃを備えている。ヘッドホンユニット１Ａ、１Ｂは、スピーカーユニットを収容するハウジング２と耳接触部３をそれぞれ備えている。
【００２４】
ハウジング２は、スピーカーユニットの少なくとも背面側を囲んで、スピーカーユニットの振動板の背面に空気室等の音響容量を規定する。ハウジング２の側部には、空気室に連通する孔部が設けられている場合がある。孔部によってハウジング２の内部空間によるコンプライアンスを調整して、周波数特性、特に低音域の周波数特性を調整することができる。
【００２５】
ヘッドホン１は、ヘッドバンド１Ｃの両端にスライダ１Ｅを保持するスライダ保持部２０を備えている。ヘッドバンド１Ｃは、外観視されない内部にスライダ１Ｅを収容する溝部と、スライダ１Ｅを保持するスライダ保持部２０と、を備えており、スライダ１Ｅは、溝部およびスライダ保持部２０により、ヘッドバンド１Ｃに対して摺動可能に保持される。それぞれのスライダ１Ｅの他端側は、ハンガー１Ｄと連結しており、ハンガー１Ｄ、１Ｄは各ハウジング２、２に連結されている。したがって、ヘッドホン１は、ハウジング２とヘッドバンド１Ｃとの間の相対的な位置関係を、装着するユーザーの頭部および耳部に合わせて調整することができる。
【００２６】
なお、図１では、ステレオ再生に対応するヘッドホン１のコードおよびプラグ部は図示を省略されている。本発明の説明に不要な他のヘッドホン１の構成については、以下では図示及び説明を省略する。また、ヘッドホン１の形態は、本実施例の場合に限定されない。ヘッドホン１は、音声信号を供給するコードおよびプラグ部を備えない無線信号を受信する受信部を備えるワイヤレスヘッドホンであってもよい。
【００２７】
図２〜図５は、本発明の一実施形態に係るヘッドホン１のスライダ構造の具体的な構造を示した説明図である。具体的には、図２は、ヘッドバンド１Ｃ並びにスライダ保持部２０の一部の部品の図示を省略して、ヘッドバンド１Ｃの内部の溝部に収容されたスライダ１Ｅの構成を説明する斜視図である。図３は、一方のスライダ保持部２０の構成部品を説明する展開斜視図である。また、図４および図５は、一方のスライダ構造を説明する拡大図である。図４では、スライダ保持部２０の一部の部品の図示を省略している。また、図５は、図４におけるＡ−Ａ’断面図であり、図４の視点の方向とは直交する横方向からスライダ保持部２０の構造を図示している。
【００２８】
本実施例のヘッドホン１では、スライダ１Ｅは、ヘッドバンド１Ｃの内部の溝部に収容され、または、ヘッドバンド１Ｃの端部から出現することで、ハウジング２をヘッドバンド１Ｃに近づける、もしくは遠ざける様に摺動する動作を可能にしている。スライダ１Ｅは、ヘッドバンド１Ｃの端部に設けられるスライダ保持部２０に保持される被保持部１０を有する。被保持部１０は、スライダ１Ｅのヘッドバンド１Ｃ側であって、湾曲したアルミニウム合金製の短冊状の基体を有する。被保持部１０には、スライダ１Ｅが摺動可能な範囲に渡って長孔状のスリット１１が形成されている。
【００２９】
スライダ１Ｅの被保持部１０には、スライダ保持部２０に保持される際に嵌合するような凹凸が設けられていない。また、スライダ１Ｅの被保持部１０の短冊状の基体において、スリット１１が形成される場合に、スリット１１を規定する端面１２にも凹凸は設けられていない。したがって、ヘッドホン１では、スライダ１Ｅおよびスライダ保持部２０は、ハウジング２とヘッドバンド１Ｃとの間の相対的な位置関係を、スリット１１が形成されている所定の範囲内で無段階的に位置を定めるように動作する。
【００３０】
スライダ保持部２０は、スライダ１Ｅの被保持部１０を保持するように、複数の部品から構成されている。スライダ保持部２０は、外側固定部材２１と内側固定部材２５とを複数のネジ２８で連結して形成する筐体の内部に、スライダ１Ｅの被保持部１０を通過させて、被保持部１０に付勢力を与える弾性部材を有している。スライダ保持部２０の筐体は、相対的に摺動する被保持部１０の短冊状の基体を通過させてその位置を決める位置決め部材２９を、外側固定部材２１と内側固定部材２５との間に挟むようにして固定している。外側固定部材２１並びに内側固定部材２５、位置決め部材２９は、樹脂材料により形成されている。
【００３１】
スライダ保持部２０は、スライダ１Ｅの被保持部１０に摩擦による付勢力を与える弾性部材として、板バネ部材２２および２４と、円柱弾性部材２３と、を備えている。板バネ部材２２および２４と、円柱弾性部材２３と、は、外側固定部材２１並びに内側固定部材２５に、それぞれが有する突起を介して固定されている。
【００３２】
板バネ部材２２および２４は、弾性変形可能な樹脂材料により形成されており、両端の平面部分が固定され、その間に曲面部を形成してその頂部が弾性変形で変位する構造を有する。板バネ部材２２および２４の固定される平面部には、外側固定部材２１または内側固定部材２５に設けられる突起２６が通過する貫通孔を有している。また、板バネ部材２４の固定される平面部には、円柱弾性部材２３が通過するＵ字状の凹部が形成されている。もう一方の板バネ部材２２の固定される平面部には、円柱弾性部材２３を固定する突起３０が通過するＵ字状の凹部が形成されている。
【００３３】
板バネ部材２２は、被保持部１０の短冊状の基体に対して外側から付勢力を与えるように、固定部側が外側固定部材２１に固定されて、板バネの頂部が被保持部１０の外側平面に当接する。また、板バネ部材２４は、板バネ部材２２とほぼ同一形状の板バネであって、固定部側が内側固定部材２５に固定されて、板バネの頂部が被保持部１０の内側平面に当接する。したがって、板バネ部材２２および２４は、被保持部１０の短冊状の基体を挟み込むように第１の付勢力を与える。板バネ部材２２および２４は、弾性変形可能な金属材料により形成されていてもよい。
【００３４】
一方で、円柱弾性部材２３は、外形が略円筒形状となる弾性変形可能なシリコン樹脂材料により形成されており、外側曲面部と、中心軸部分に貫通孔を規定する内側曲面部と、両端の平面部と、を有する。円柱弾性部材２３の貫通孔には、外側固定部材２１の突起３０と、内側固定部材２５の突起２７と、がそれぞれ挿入されて、円柱弾性部材２３は外側固定部材２１並びに内側固定部材２５に対して固定される。したがって、円柱弾性部材２３の外側曲面部は、力が加わると弾性変形で変位する構造を有する。柱弾性部材２３は、ゴム材料により形成されていてもよい。
【００３５】
スライダ保持部２０において、円柱弾性部材２３は、スライダ１Ｅの被保持部１０に形成されている長孔状のスリット１１を通過するように組み立てられる。円柱弾性部材２３の直径寸法は、スリット１１の幅寸法とほぼ一致する、あるいはそれよりも若干大きく設定されているので、弾性変形する円柱弾性部材２３の外側曲面部は、スリット１１を規定する端面１２に当接して、スライダ１Ｅの被保持部１０に対して第２の付勢力を与える。スリット１１は、スライダ１Ｅが摺動可能な範囲に渡って設けられているので、スリット１１を通過する円柱弾性部材２３は、スライダ１Ｅの摺動範囲を規制するように機能する。
【００３６】
スライダ保持部２０において、スライダ１Ｅの被保持部１０に対して、板バネ部材２２および２４が短冊状の基体を挟み込むように与える第１の付勢力と、スリット１１を通過する円柱弾性部材２３が端面１２に与える第２の付勢力と、は略直交する方向にそれぞれ作用する。第１の付勢力および第２の付勢力が、略直交する方向に被保持部１０に加わるので、スライダ１Ｅの被保持部１０はスライダ保持部２０に強く保持されることになる。少なくともいずれか一方のみが作用する場合に比べて、容易に相対位置がずれないようにできる。
【００３７】
また、スライダ１Ｅの被保持部１０に対する、板バネ部材２２および２４の摩擦係数と、円柱弾性部材２３の摩擦係数は異なるので、与える第１の付勢力および第２の付勢力は、相互に異なるものになる。スライダ保持部２０は、スライダ１Ｅの被保持部１０の材料、表面処理、および寸法構造と、板バネ部材２２および２４の材料および寸法構造と、円柱弾性部材２３の材料および寸法構造と、を適切に設計することで、適度な付勢力を与えて、容易にスライダ保持部２０とスライダ１Ｅの被保持部１０との相対位置がずれないようにすることができる。
【００３８】
スライダ１Ｅの被保持部１０を保持するスライダ保持部２０は、上記の通りに板バネ部材２２および２４と、円柱弾性部材２３と、を備えているので、例えば一方の板バネ部材２２および２４のいずれかを含む機械共振系で共振が発生するような場合にも、他方の円柱弾性部材２３が共振を抑制するように作用する。その逆の場合も同様である。したがって、スライダ保持部２０は、ヘッドバンド１Ｃおよびスライダ１Ｅにおける不要な振動を抑制するので、この振動がハウジング２に伝達しにくくなる。その結果、ヘッドホン１は、再生音質に優れるものになる。ヘッドホン１は、装着するユーザーの頭部および耳部に合わせてハウジング２とヘッドバンド１Ｃとの間の相対的な位置関係を調整することができるだけで無く、スライダ１Ｅにおける不要な振動が再生音質に影響を与えることを防ぐことができる。
【００３９】
上記実施例では、スライダ保持部２０は、板バネ部材２２および２４と、円柱弾性部材２３と、を備えているが、第１の付勢力を与える弾性部材と、この第１の付勢力と略直交する方向に作用する第２の付勢力を与える弾性部材と、は、他の弾性変形可能な弾性体・弾性構造体を用いることができる。もちろん、同一の弾性材料を用いてもよく、第１の付勢力と第２の付勢力とが略直交する方向にスライダ１Ｅの被保持部１０に対して作用するようにすればよい。例えば、板バネ部材２２および２４に代えて円柱弾性部材２３と同じ弾性材料で円柱状に形成する弾性部材を用意して、一端側を外側固定部材２１又は内側固定部材２５に固定し、他端側を被保持部１０の外側平面又は内側平面に当接するようにしてもよい。
【００４０】
また、スライダ１Ｅの被保持部１０に対して第１の付勢力を与える板バネ部材２２を備えていれば、スライダ１Ｅの被保持部１０にスリット１１を設けなくてもよい。例えば、スリット１１を規定する端面１２と同様に、第２の付勢力が作用する略直交する角度になる被保持部１０の短冊状の基体の側面に対して、弾性変形する円柱弾性部材２３の外側曲面部が当接するようにして、第２の付勢力を与えるようにしてもよい。
【００４１】
また、上記実施例では、スライダ１Ｅの被保持部１０と、スリット１１を規定する端面１２と、にはスライダ保持部２０に保持される際に嵌合するような凹凸が設けられていない。ただし、それぞれに複数の段階的に配置する凹または凸を設け、また、スライダ保持部２０の第１の付勢力を与える弾性体と、第２の付勢力を与える弾性体と、にこれらの凹または凸に嵌合するような凸または凹を設けて、ハウジング２とヘッドバンド１Ｃとの間の相対的な位置関係を、段階的に定めるようなものにしてもよい。
【００４２】
また、上記実施例のヘッドホン１では、ヘッドバンド１Ｃがその両端にスライダ１Ｅを保持するスライダ保持部２０を備えているが、スライダ保持部２０をハウジング２の側に設けて、スライダ１Ｅをヘッドバンド１Ｃに連結するように設けてもよい。上記実施例のようにハンガー１Ｄを備えるような場合には、スライダ保持部２０をハンガー１Ｄに設けて、スライダ１Ｅをヘッドバンド１Ｃに連結するように設けてもよい。ヘッドバンド１Ｃがスライダ１Ｅを備えるような場合であっても、スライダ１Ｅにおける不要な振動がハウジング２に伝搬するのを抑制することができるので、再生音質に悪影響を与えにくいヘッドホンを構成することができる。
【産業上の利用可能性】
【００４３】
本発明のヘッドホンは、図示するようなオーバーヘッドタイプのヘッドホンに限らず、ハウジングとヘッドバンドとの間の相対的な位置関係を調整するスライド構造を備えるヘッドホンであってもよい。また、ヘッドバンドに相当する部材を含めば、ヘッドホンに限らず、イヤホン、カナル型のイヤホン等にも適用が可能である。また、本発明のヘッドホン並びにイヤホンは、家庭用のステレオ再生、もしくはマルチチャンネルサラウンド再生に限られず、車載用のオーディオ機器や、映画館等の音響再生設備にも適用が可能である。
【符号の説明】
【００４４】
１            ヘッドホン
１Ｃ          ヘッドバンド
１Ｅ          スライダ
１０          被保持部
１１          スリット
１２          端面
２            ハウジング
２０          スライダ保持部
２１          外側固定部材
２２、２４    板バネ部材
２３          円柱弾性部材
２５          内側固定部材
２６、２７、３０        突起
３            耳接触部
【図１】
2018088661.tif 000003
【図２】
2018088661.tif 000004
【図３】
2018088661.tif 000005
【図４】
2018088661.tif 000006
【図５】
2018088661.tif 000007